【事件の表示】
　特願２００１−３８８８４５「シート搬送装置」拒絶査定不服審判事件〔平成１５年　７月　４日出願公開、特開２００３−１８９０５９〕について、次のとおり審決する。
【結　論】
　本件審判の請求は、成り立たない。
【理　由】
第１　手続きの経緯
　本願は、平成１３年１２月２１日の出願であって、平成１８年６月９日付けで拒絶査定がなされ、これに対して同年７月３日に拒絶査定不服審判の請求がなされるとともに、同年７月３１日に手続補正がなされたものである。
　
第２　平成１８年７月３１日付けの手続補正についての補正却下の決定
［補正却下の決定の結論］
　平成１８年７月３１日付けの手続補正（以下、「本件補正」という。）を却下する。
　
［理由］
１．補正後の本願発明
　本件補正により、特許請求の範囲の請求項１は、
　「【請求項１】
　複数枚のシートを所定の読み取り位置に順次供給する供給手段と、
　前記所定の読み取り位置に設けられたプラテンガラスと、
　前記プラテンガラス対向側に設けられたプラテンローラと、
　前記プラテンローラとは反対側の前記プラテンガラス対向側に設けられ、前記プラテンガラス上の前記シートを露光し、前記シート上の画像を読取る読取手段と、
　前記プラテンローラより前記シートが搬送される搬送方向に対して上流側のシート搬送路を形成する案内部材に取り付けられ、前記プラテンガラス対向面に設けられた白色のガイド部材と、を有し、
　前記ガイド部材が前記プラテンローラに対し最も近接する位置は、前記プラテンローラ外周で最も前記プラテンガラスに近接する点を含み前記プラテンガラスに平行な平面よりも前記プラテンローラ側の位置、かつ、前記読取手段が前記シート上の画像を読取っている際には前記シートに接触しない位置に設けられていることを特徴とするシート搬送装置。」
と補正された。
　上記補正は、請求項１に記載した発明を特定するために必要な事項である「白色のガイド部材」について、「シート搬送路を形成する案内部材に取り付け」られている点を限定するものであって、平成１８年改正前特許法１７条の２第４項２号の特許請求の範囲の減縮を目的とするものに該当する。
　そこで、本件補正後の請求項１に記載された発明（以下、「本願補正発明」という。）が特許出願の際独立して特許を受けることができるものであるか否か（平成１８年改正前特許法１７条の２第５項において準用する同法１２６条５項の規定に適合するか）について以下に検討する。
　
２．引用刊行物
　原査定の拒絶の理由に引用された実願平４−２０１０８号（実開平５−８２１６８号）の願書に添付した明細書及び図面の内容を記録したＣＤ−ＲＯＭ（平成５年１１月５日特許庁発行。以下、「引用例」という。）には、以下の事項及び図面が記載されている。
　
　ア　「【０００２】
【従来の技術】
　ファクシミリ装置等の原稿読取装置で、原稿読取位置近傍で、原稿読取背面より原稿を読取所定位置に押圧給紙するプラテンローラを備えた構成の原稿読取装置において、例えば、実公昭６２−４４６１４号公報にて開示された図４に示す読取装置では、コンタクトガラス４１に原稿を背面より読取位置４２において押圧給紙するプラテンローラ４３を備えている。
【０００３】
　原稿を読取センサ４４により電気信号に変換し画信号処理を行うために、画信号処理回路部に基準白原稿情報を入力する必要があり、前記プラテンローラ４３を白色ローラとし、原稿読取前に該ローラ部４３を読み取り、基準白信号としている。」
　
　イ　「【０００９】
　　【実施例】
　本考案を実施例と共に説明する。
　図１は本考案による一実施例である原稿読取装置の断面図であり、図２はその装置の読取待機時における装置断面図である。
　図１、図２において、１１は原稿載置台１２上に置かれた複数枚の原稿１３を、分離ゴム片１４とにより１枚ごとに分離し、読取部へ搬送する分離ローラである。１５は密着イメージラインセンサユニットである。１６は原稿１７が押圧搬送されるコンタクトガラスであり、この原稿面側に読取位置１８が設定されている。該読取位置１８では、ＬＥＤ１９により原稿１７に照明され、原稿１７面からの反射光をレンズアレイ２０を介して、等倍イメージラインセンサ２１に結像させ、原稿１７を画情報に変換している。２２は前記ユニット１５の取りつけ金具であり、前記コンタクトガラス１６の上面の延長線上で、且つ延長線方向に長穴部２３を備えている。２４は装置の機構側部に植設され、前記長穴部２３に勘合、摺動する軸である。２５は引張スプリングであり、前記ユニット１５をプラテンローラ２６方向に付勢すると共に、該ユニット１５を原稿排出方向へ付勢する。２７は白色の可橈性シートであり、読取部カバー２８に設置された原稿ガイド２９の一部に配設され、そのシート一端３０が前記コンタクトガラス１６のプラテンローラ２６近傍で当接している。３１は原稿ジャム、コンタクトガラス１６の清掃時等に前記カバー２８を開く回転軸である。３２は原稿ガイドであり、その一端は前記コンタクトガラス１６上に配置され、原稿ガイド３２の下部を前記ユニット１５がスライド可能に構成されている。３３は前記原稿載置台１２上に置かれた原稿１３を検出する原稿有無センサである。３４は原稿先端及び終端等を検知し、原稿読取範囲を制御する原稿位置決めセンサである。
【００１０】
　次に、本考案の一実施例の動作を図１、図２と共に詳しく説明する。図２において、複数枚の原稿１３が原稿載置台１２の置かれ、原稿有無センサ３３により原稿１３が検出されると、図示していない副走査駆動パルスモータが逆転し、プラテンローラ２６を逆転させる。この時、分離ローラ１１は該モータと一方向クラッチを介して連結されているため空転する。プラテンローラ２６のゴム面はセンサユニット１５のコンタクトガラス１６面に直接付勢当接しているため、その摩擦力により引張スプリング２５の付勢力に抗して矢印Ａ方向に移動させられ、可橈シート２７の端部でコンタクトガラス１６に当接しているシート一端３０の位置まで移動し、図２の状態になる。この移動範囲は、長穴部２３と軸２４によって規制される。この状態でセンサ２１により読取走査がなされ、前記シート一端３０面を読み取り、基準白情報として画像処理回路に取り込まれる。その後、図１に示す通り、前記モータは正回転し、プラテンローラ２６、分離ローラ１１は時計回転方向に回転させられ、複数枚の原稿１３は分離ローラ１１、分離片１４等の作用により、１枚ごとに分離給紙される。この時、プラテンローラ２６の正転により、前記と同様に、その摩擦力により、センサユニット１５は矢印Ｂ方向に移動させられ、所定の原稿読取位置の図１の状態にセットされる。原稿の読取開始、終了等については、センサ３４の情報により従来の装置と同様に行っている。また、原稿の画情報処理等については従来と同様であるので省略する。複数枚の原稿１３は分離ローラ１１、分離片１４等の作用により、１枚ごとに分離給紙される。この時、プラテンローラ２６の正転により、前記と同様に、その摩擦力により、センサユニット１５は矢印Ｂ方向に移動させられ、所定の原稿読取位置の図１の状態にセットされる。原稿の読取開始、終了等については、センサ３４の情報により従来の装置と同様に行っている。また、原稿の画情報処理等については従来と同様であるので省略する。」
　
　ウ　「【００１２】
　　【発明の効果】
　本考案は上記の様に構成したので、プラテンローラの押圧位置は読取位置のほぼ近傍でよく、位置精度を厳しくする必要はない。また、該プラテンローラの色も制限されず、プラテンローラ直径（曲率）も影響しないので直径を小さくでき、小型、安価な装置を提供できる。さらに、可橈性シートは原稿押圧に関与しないので、付勢力をほとんど必要とせず、原稿ジャムが発生しないと共に、原稿厚さに制約を受けることのない読取装置を提供することができる。」
　
　エ　原稿読取位置にある原稿読取装置の断面図である図面図１には、コンタクトガラス１６面に対向して、一方の側にプラテンローラ２６と白色の可橈性シート２７が、また、他方の面にセンサユニット１５が配置され、また、白色の可橈性シート２７が、原稿の搬送方向からみて、プラテンローラ２６より上流側に配置された原稿ガイド２９に配設された構成が記載されている。
　
　これらの記載及び図面によれば、引用例には、
「原稿載置台１２上に置かれた複数枚の原稿を、分離ゴム片１４とにより１枚ごとに分離し、読取部へ搬送する分離ローラ１１と、
　原稿面側に読取位置１８が設定されており、原稿が押圧搬送されるコンタクトガラス１６と、
　センサユニット１５のコンタクトガラス１６面に直接付勢当接しているプラテンローラ２６と、
　前記プラテンローラ２６とは反対側の前記コンタクトガラス１６対向側に設けられ、コンタクトガラス１６の原稿読取位置１８にセットされた原稿をＬＥＤ１９により照明し、原稿面からの反射光をレンズアレイ２０を介して、等倍イメージラインセンサ２１に結像させ、原稿を画情報に変換する密着イメージラインセンサユニット１５と、
　原稿の搬送方向からみて、プラテンローラ２６より上流側に配置された原稿ガイド２９に配設され、前記コンタクトガラス１６対向面に設けられた白色の可橈性シート２７と、を有し、
　前記可橈性シート２７は、原稿読取時においては、その一端３０が、プラテンローラ２６近傍で、原稿押圧に関与しない程度に原稿に当接している原稿読取装置。」
の発明（以下、「引用発明」という。）が記載されていると認める。
　
３．対比
　そこで、本願補正発明と引用発明とを対比する。
（１）引用発明における「原稿」は本願補正発明の「シート」に相当し、原稿載置台１２、分離ゴム片１４、分離ローラ１１からなる構成は、その機能から、本願補正発明の「複数枚のシートを所定の読み取り位置に順次供給する供給手段」に相当する。
（２）引用発明における「コンタクトガラス１６」は、原稿面側に読取位置１８が設定されており、原稿が押圧搬送されることから、本願補正発明の「所定の読み取り位置に設けられたプラテンガラス」に相当する。
（３）引用発明における「密着イメージラインセンサユニット１５」は、「プラテンローラ２６とは反対側のコンタクトガラス１６対向側に設けられ、コンタクトガラス１６の原稿読取位置１８にセットされた原稿をＬＥＤ１９により照明し、原稿面からの反射光をレンズアレイ２０を介して、等倍イメージラインセンサ２１に結像させ、原稿を画情報に変換する」ことから、本願補正発明の「読取手段」に相当し、引用発明と本願補正発明は、「プラテンローラとは反対側の前記プラテンガラス対向側に設けられ、前記プラテンガラス上の前記シートを露光し、前記シート上の画像を読取る読取手段」を有する点で一致する。
（４）引用発明の「可橈性シート２７」は、白色であって、原稿の搬送方向からみて、プラテンローラ２６より上流側に配置された原稿ガイド２９に配設され、前記コンタクトガラス１６対向面に設けられており、原稿を案内、すなわちガイドする機能を有することは明らかであるから、引用発明と本願補正発明は、「プラテンローラより前記シートが搬送される搬送方向に対して上流側のシート搬送路を形成する案内部材に取り付けられ、前記プラテンガラス対向面に設けられた白色のガイド部材」を有する点で共通する。
（５）引用発明は、原稿読取装置における原稿搬送に係る構成を有することから、本願補正発明と同様に、「シート搬送装置」と呼称することができる。
　
　以上を踏まえると、本願補正発明と引用発明とは次の点で一致ないし相違する。
　【一致点】
　「複数枚のシートを所定の読み取り位置に順次供給する供給手段と、
　前記所定の読み取り位置に設けられたプラテンガラスと、
　前記プラテンガラス対向側に設けられたプラテンローラと、
　前記プラテンローラとは反対側の前記プラテンガラス対向側に設けられ、前記プラテンガラス上の前記シートを露光し、前記シート上の画像を読取る読取手段と、
　前記プラテンローラより前記シートが搬送される搬送方向に対して上流側のシート搬送路を形成する案内部材に取り付けられ、前記プラテンガラス対向面に設けられた白色のガイド部材と、を有するシート搬送装置。」
　
　【相違点】
　「白色のガイド部材」の配置が、本願補正発明は、「プラテンローラに対し最も近接する位置は、前記プラテンローラ外周で最もプラテンガラスに近接する点を含み前記プラテンガラスに平行な平面よりも前記プラテンローラ側の位置、かつ、読取手段がシート上の画像を読取っている際には前記シートに接触しない位置に設けられている」のに対し、引用発明は、「白色のガイド部材」である「可橈性シート２７」は、「原稿読取時においては、その一端３０が、プラテンローラ２６近傍で、原稿押圧に関与しない程度に原稿に当接している」、すなわち「読取手段がシート上の画像を読取っている際には前記シートに接触する位置に設けられている」点。
　
４．判断
　上記相違点について検討する。
　引用発明の「可橈性シート２７」は、前掲「２．　イ」の記載及び図面から、原稿に当接しないことが明らかな原稿ガイド２９の一部に配設されており、原稿押圧に関与しない原稿ガイドとして機能するとともに、センサ２１により前記シート一端３０面を読み取ることにより、基準白情報として機能する部材であるから、原稿と当接しなければならない必然性はなく、前記シート２７の一端３０が、原稿読取時において、原稿と当接しない位置となるよう配設することは、当業者が容易になし得る設計変更にすぎない。
　この場合、前掲「２．　イ」の記載及び図面から、プラテンローラ２６及び可橈性シート２７は、いずれも読取部カバー２８に設置されていることは明らかであり、両者の相対位置は一定とみなせることから、「可橈性シート２７」がプラテンローラ２６に対し最も近接する位置は、プラテンローラ２６外周で最もコンタクトガラス１６に近接する点を含みコンタクトガラス１６に平行な平面よりも前記プラテンローラ２６側の位置、かつ、密着イメージラインセンサユニット１５が前記原稿上の画像を読取っている際には前記原稿に接触しない位置、すなわち、本願補正発明の表現に対応させれば、「ガイド部材がプラテンローラに対し最も近接する位置は、前記プラテンローラ外周で最もプラテンガラスに近接する点を含み前記プラテンガラスに平行な平面よりも前記プラテンローラ側の位置、かつ、読取手段がシート上の画像を読取っている際には前記シートに接触しない位置」となる。
　したがって、上記相違点は当業者が容易に想到し得たものである。
　
　そして、本願補正発明の奏する「ガイドとローラとの隙間に生じる影の影響やローラの屈曲による光量不足の影響を受け難くなり、露光装置が読み取り可能な範囲を広くすることができる」との作用効果は、本願補正発明と同様に、「白色の可橈性シート２７」を配置した引用発明においても、可橈性シートが原稿に接触しない位置に設けられているか否かにかかわらず、当然に予想される作用効果であり、また、前記以外の作用効果についても、引用例に記載された発明から予測される範囲内のものにすぎず、格別顕著なものということはできない。
　
　したがって、本願補正発明は、引用例に記載された発明に基づいて、当業者が容易に発明をすることができたものであるから、特許法２９条２項の規定により、特許出願の際独立して特許を受けることができないものである。
　
５．本件補正についてのむすび
　以上のとおり、本件補正は、平成１８年改正前特許法１７条の２第５項において準用する同法１２６条５項の規定に違反するものであり、同法１５９条１項において読み替えて準用する同法５３条１項の規定により却下されるべきものである。
　
第３　本願発明について
１．本願発明
　平成１８年７月３１日付けの手続補正は、上記のとおり却下されたので、本願の請求項１に係る発明（以下、「本願発明」という。）は、平成１７年１０月２６日付けの手続補正書によって補正された明細書及び図面の記載からみて、その特許請求の範囲の請求項１に記載された事項により特定される、以下のとおりのものである。
「【請求項１】
　複数枚のシートを所定の読み取り位置に順次供給する供給手段と、
　前記所定の読み取り位置に設けられたプラテンガラスと、
　前記プラテンガラス対向側に設けられたプラテンローラと、
　前記プラテンローラとは反対側の前記プラテンガラス対向側に設けられ、前記プラテンガラス上の前記シートを露光し、前記シート上の画像を読取る読取手段と、
　前記プラテンローラより前記シートが搬送される搬送方向に対して上流側に設けられ、前記プラテンガラス対向面に設けられた白色のガイド部材と、を有し、
　前記ガイド部材が前記プラテンローラに対し最も近接する位置は、前記プラテンローラ外周で最も前記プラテンガラスに近接する点を含み前記プラテンガラスに平行な平面よりも前記プラテンローラ側の位置、かつ、前記読取手段が前記シート上の画像を読取っている際には前記シートに接触しない位置に設けられていることを特徴とするシート搬送装置。」
　
２．引用刊行物
　原査定の拒絶の理由に引用された引用例及びその記載事項は、前記「第２　２．」に記載したとおりである。
　
３．対比・判断
　本願発明は、前記「第２」で検討した本願補正発明から前記「第２　１．」に記載した限定事項を省いたものである。
　そうすると、本願発明の発明特定事項をすべて含み、さらに発明特定事項を限定したものに相当する本願補正発明が前記「第２　３．」、「第２　４．」に記載したとおり、引用例に記載された発明に基づいて、当業者が容易に発明をすることができたものであるから、本願発明も、同様の理由により、引用例に記載された発明に基づいて、当業者が容易に発明することができたものである。
　
４．むすび
　以上のとおりであるから、本願発明は、特許法２９条２項の規定により特許を受けることができないので、他の請求項に係る発明について検討するまでもなく、本願は拒絶されるべきものである。
　よって、結論のとおり審決する。